(57)【特許請求の範囲】
【請求項１】
搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から線接触するガイド線部、を有する棒体、からなっており、
該ガイド線部は、上記空間の内部に向けて且つ下方に向けて、傾斜しており、
搬送方向下流側の左右両側の隅にそれぞれ設けられた上記ガイド部材において、右側の上記ガイド部材は上記右側壁部の移動に伴って横方向に移動可能であり、左側の上記ガイド部材は上記左側壁部の移動に伴って横方向に移動可能であり、左右両側の上記ガイド部材は上記搬送方向下流側壁部の一部の移動に伴って搬送方向に沿って移動可能であり、
搬送方向上流側の左右両側の隅に設けられた上記ガイド部材は、それぞれ、横方向に移動可能である、
ことを特徴とする紙受け装置。
【請求項２】
搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から線接触するガイド線部、を有する棒体、からなっており、
該ガイド線部は、上記空間の内部に向けて且つ下方に向けて、傾斜しており、
上記右側壁部及び上記左側壁部は、それぞれ、上壁部分とその下方の本体壁部分とからなっており、上記右側壁部の上記上壁部分と上記左側壁部の上記上壁部分との間の距離が、用紙の幅寸法より少し小さく設定されており、
上記各ガイド部材は、上記上壁部分の高さ位置に、設けられている、
ことを特徴とする紙受け装置。
【請求項３】
搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から点接触するガイド端部、を有するピン体、からなっており、
搬送方向下流側の左右両側の隅にそれぞれ設けられた上記ガイド部材において、右側の上記ガイド部材は上記右側壁部の移動に伴って横方向に移動可能であり、左側の上記ガイド部材は上記左側壁部の移動に伴って横方向に移動可能であり、左右両側の上記ガイド部材は上記搬送方向下流側壁部の一部の移動に伴って搬送方向に沿って移動可能であり、
搬送方向上流側の左右両側の隅に設けられた上記ガイド部材は、それぞれ、横方向に移動可能である、
ことを特徴とする紙受け装置。
【請求項４】
搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から点接触するガイド端部、を有するピン体、からなっており、
上記右側壁部及び上記左側壁部は、それぞれ、上壁部分とその下方の本体壁部分とからなっており、上記右側壁部の上記上壁部分と上記左側壁部の上記上壁部分との間の距離が、用紙の幅寸法より少し小さく設定されており、
上記各ガイド部材は、上記上壁部分の高さ位置に、設けられている、
ことを特徴とする紙受け装置。
【請求項５】
搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から接触するローラ円周部、を有するローラ、からなっており、
搬送方向下流側の左右両側の隅にそれぞれ設けられた上記ガイド部材において、右側の上記ガイド部材は上記右側壁部の移動に伴って横方向に移動可能であり、左側の上記ガイド部材は上記左側壁部の移動に伴って横方向に移動可能であり、左右両側の上記ガイド部材は上記搬送方向下流側壁部の一部の移動に伴って搬送方向に沿って移動可能であり、
搬送方向上流側の左右両側の隅に設けられた上記ガイド部材は、それぞれ、横方向に移動可能である、
ことを特徴とする紙受け装置。
【請求項６】
搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から接触するローラ円周部、を有するローラ、からなっており、
上記右側壁部及び上記左側壁部は、それぞれ、上壁部分とその下方の本体壁部分とからなっており、上記右側壁部の上記上壁部分と上記左側壁部の上記上壁部分との間の距離が、用紙の幅寸法より少し小さく設定されており、
上記各ガイド部材は、上記上壁部分の高さ位置に、設けられている、
ことを特徴とする紙受け装置。
【請求項７】
上記ローラが、円周方向に回転可能に設けられている、請求項５又は６に記載の紙受け装置。
【発明の詳細な説明】
【技術分野】
【０００１】
本発明は、搬送されて来た矩形状用紙を、受け入れて、基台上の所定の空間内に積載していく、紙受け装置、に関するものである。
【背景技術】
【０００２】
印刷処理された用紙は、印刷面が上向きの凸状となるように、カールする性質を、有している。そして、従来の紙受け装置では、カールした用紙をそのまま基台上に落下させながら積載するために、用紙の落下時の姿勢が不安定であり、その結果、積載された用紙が不揃いである、という問題があった。
【０００３】
そこで、そのような問題を解消するために、特許文献１、２等に記載の紙受け装置が、提案されている。これらの装置は、落下中の用紙を下向きの凸状とすることにより、上記問題を解消しようとしている。
【特許文献１】特開平６−３２９３２７号公報
【特許文献２】特開平８−２９０８５９号公報
【発明の開示】
【発明が解決しようとする課題】
【０００４】
ところで、用紙には、縦目の用紙と横目の用紙とがある。縦目の用紙とは、繊維が用紙の長辺に平行に走っている用紙のことであり、横目の用紙とは、繊維が用紙の短辺に平行に走っている用紙のことである。そして、一般の印刷用の用紙は、縦目の用紙である。
【０００５】
そして、縦目の用紙は、短辺方向においてはカールしやすいため、特許文献１、２等に記載の紙受け装置によって下向きの凸状とすることができる。しかしながら、横目の用紙は、短辺方向においてはカールしにくく、長辺方向においてはカールしやすいので、特許文献１、２等に記載の紙受け装置によって下向きの凸状とすることができない。すなわち、特許文献１、２等に記載の従来の紙受け装置は、横目の用紙を揃えることができない。
【０００６】
本発明は、縦目の用紙でも横目の用紙でも、落下中に下向きの凸状とすることができ、それにより、用紙を揃えて積載できる、紙受け装置、を提供することを目的とする。
【課題を解決するための手段】
【０００７】
本願の第１発明は、搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から線接触するガイド線部、を有する棒体、からなっており、
該ガイド線部は、上記空間の内部に向けて且つ下方に向けて、傾斜しており、
搬送方向下流側の左右両側の隅にそれぞれ設けられた上記ガイド部材において、右側の上記ガイド部材は上記右側壁部の移動に伴って横方向に移動可能であり、左側の上記ガイド部材は上記左側壁部の移動に伴って横方向に移動可能であり、左右両側の上記ガイド部材は上記搬送方向下流側壁部の一部の移動に伴って搬送方向に沿って移動可能であり、
搬送方向上流側の左右両側の隅に設けられた上記ガイド部材は、それぞれ、横方向に移動可能である、
ことを特徴としている。
【０００８】
本願の第２発明は、搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から線接触するガイド線部、を有する棒体、からなっており、
該ガイド線部は、上記空間の内部に向けて且つ下方に向けて、傾斜しており、
上記右側壁部及び上記左側壁部は、それぞれ、上壁部分とその下方の本体壁部分とからなっており、上記右側壁部の上記上壁部分と上記左側壁部の上記上壁部分との間の距離が、用紙の幅寸法より少し小さく設定されており、
上記各ガイド部材は、上記上壁部分の高さ位置に、設けられている、
ことを特徴とする紙受け装置。
【０００９】
本願の第３発明は、搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から点接触するガイド端部、を有するピン体、からなっており、
搬送方向下流側の左右両側の隅にそれぞれ設けられた上記ガイド部材において、右側の上記ガイド部材は上記右側壁部の移動に伴って横方向に移動可能であり、左側の上記ガイド部材は上記左側壁部の移動に伴って横方向に移動可能であり、左右両側の上記ガイド部材は上記搬送方向下流側壁部の一部の移動に伴って搬送方向に沿って移動可能であり、
搬送方向上流側の左右両側の隅に設けられた上記ガイド部材は、それぞれ、横方向に移動可能である、
ことを特徴とする紙受け装置。
【００１０】
本願の第４発明は、搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から点接触するガイド端部、を有するピン体、からなっており、
上記右側壁部及び上記左側壁部は、それぞれ、上壁部分とその下方の本体壁部分とからなっており、上記右側壁部の上記上壁部分と上記左側壁部の上記上壁部分との間の距離が、用紙の幅寸法より少し小さく設定されており、
上記各ガイド部材は、上記上壁部分の高さ位置に、設けられている、
ことを特徴とする紙受け装置。
【００１１】
本願の第５発明は、搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から接触するローラ円周部、を有するローラ、からなっており、
搬送方向下流側の左右両側の隅にそれぞれ設けられた上記ガイド部材において、右側の上記ガイド部材は上記右側壁部の移動に伴って横方向に移動可能であり、左側の上記ガイド部材は上記左側壁部の移動に伴って横方向に移動可能であり、左右両側の上記ガイド部材は上記搬送方向下流側壁部の一部の移動に伴って搬送方向に沿って移動可能であり、
搬送方向上流側の左右両側の隅に設けられた上記ガイド部材は、それぞれ、横方向に移動可能である、
ことを特徴とする紙受け装置。
【００１２】
本願の第６発明は、搬送されて来た矩形状用紙を、受け入れて、基台上の、右側壁部と左側壁部と搬送方向上流側壁部と搬送方向下流側壁部とで囲まれた、平面視矩形状の空間内を、落下させて、基台上の上記空間内に、積載していく、紙受け装置において、
上記空間の、上部且つ搬送方向下流側の、左右両側の隅に、それぞれ、ガイド部材が、設けられており、
ガイド部材は、上記空間内を落下していく上記用紙の角部に、下方から接触することによって、上記角部の落下を遅らせるように、構成されており、
上記ガイド部材が、上記空間の、上部且つ搬送方向上流側の、左右両側の隅にも、それぞれ、設けられており、
上記ガイド部材が、上記用紙の上記角部に下方から接触するローラ円周部、を有するローラ、からなっており、
上記右側壁部及び上記左側壁部は、それぞれ、上壁部分とその下方の本体壁部分とからなっており、上記右側壁部の上記上壁部分と上記左側壁部の上記上壁部分との間の距離が、用紙の幅寸法より少し小さく設定されており、
上記各ガイド部材は、上記上壁部分の高さ位置に、設けられている、
ことを特徴とする紙受け装置。
【００１３】
なお、本願の第５及び第６発明は、更に、次の構成を採用するのが好ましい。
（Ａ）上記ローラが、円周方向に回転可能に設けられている。
【発明の効果】
【００１４】
上記第１ないし第６発明においては、用紙の先端部分の両側の角部がそれぞれガイド部材に接触し、それにより、両角部の落下が遅れ、すなわち、先端部分の幅方向中央部の落下が両角部の落下より速くなる。これにより、用紙の先端部分は、幅方向において、下向きの凸状にカールする。また、用紙の後端部分は、先端部分よりも遅れて落下を開始し、しかも、用紙の先端部分の落下は、ガイド部材によって遅くなるので、用紙の搬送方向中央部分は、先端部分及び後端部分に比して、落下が速くなる。これにより、用紙は、搬送方向においても、下向きの凸状にカールする。したがって、本発明によれば、用紙が縦目である場合はもちろん横目であっても、用紙の先端部分を確実に幅方向における下向きの凸状にカールさせることができるとともに、用紙を搬送方向における下向きの凸状にカールさせることができ、ひいては、用紙の全体を下向きの凸状にカールさせることができる。よって、本発明によれば、用紙の落下時の姿勢が安定するので、確実に、用紙を揃えて積載することができる。
【００１５】
更に、上記と同様に、用紙の後端部分を確実に幅方向における下向きの凸状にカールさせることができるとともに、用紙の搬送方向中央部分の落下が先端部分及び後端部分に比して確実に速くなるので、用紙を確実に搬送方向における下向きの凸状にカールさせることができる。よって、用紙の全体を確実に下向きの凸状にカールさせることができる。
【００１６】
上記第１、第２、第５、又は第６発明によれば、簡単な構成によって、角部の落下を遅らせることができる。
【００１７】
上記第３又は第４発明によれば、更に簡単な構成によって、角部の落下を遅らせることができる。
【００１８】
上記構成（Ａ）によれば、用紙を確実に下向きの凸状にカールさせながらも、用紙の落下速度を増大できる。
【発明を実施するための最良の形態】
【００１９】
［参考形態］
図１は、本発明の一参考形態の紙受け装置の上方斜視図である。この紙受け装置１０は、前段の搬送部９によって矢印Ａ方向（搬送方向）に搬送されて来た印刷処理済の矩形状用紙１００を、受け入れて、空間１内を落下させて、基台２上の空間１内に積載するようになっている。なお、この用紙１００は、表側に印刷処理が施されており、縦目のものである。
【００２０】
図２は図１のII矢視図、図３は図１のIII矢視図、図４は図１のIV矢視図である。空間１は、右側壁部３１と左側壁部３２と搬送方向上流側壁部３３と搬送方向下流側壁部３４とで囲まれて、基台２上に構成されており、平面視矩形状の形態を有している。なお、各壁部３１、３２、３３、３４は、垂直に設けられている。また、図３では、右側壁部３１を示していない。
【００２１】
右側壁部３１は、上壁部分３１１と本体壁部分３１２とからなっている。左側壁部３２は、上壁部分３２１と本体壁部分３２２とからなっている。各本体壁部分３１２、３２２は、格子状の板体からなっている。上流側壁部３３は、前段の搬送部９の端壁からなっている。下流側壁部３４は、３本の縦フレーム３４１、３４２、３４３と１本の横フレーム３４４とからなっている。
【００２２】
なお、図４に示されるように、上壁部分３１１と上壁部分３２１との間の距離Ｌ１は、用紙１００の幅寸法Ｗ（図１）より少し小さく設定されており、また、本体壁部分３１２と本体壁部分３２２との間の距離Ｌ２は、用紙１００の幅Ｗと略同じに設定されている。
【００２３】
そして、本参考形態では、空間１の、上部の平面視四隅に、それぞれ、ガイド部材４が設けられている。すなわち、ガイド部材４は、４個（符号４Ａ、４Ｂ、４Ｃ、４Ｄ）設けられている。空間１の上部とは、上壁部分３１１、３２１の高さ位置である。ガイド部材４Ａ、４Ｂは、搬送方向下流側の左右両側の隅に、設けられており、ガイド部材４Ｃ、４Ｄは、搬送方向上流側の左右両側の隅に、設けられている。
【００２４】
４個のガイド部材４は、図２に示されるように、搬送されて来た用紙１００が、上向きの凸状の状態で、空間１内を落下していく時に、用紙１００の角部１０１に下方から接触するような位置に、設けられている。
【００２５】
なお、４個のガイド部材４の平面視における位置は、変更可能である。すなわち、図４に示されるように、ガイド部材４Ａは、下流側壁部３４の縦フレーム３４１の上端に設けられている。縦フレーム３４１は、右側壁部３１に、例えば磁石によって取り付けられている。縦フレーム３４１からは、横フレーム部３４４Ａが延びており、横フレーム部３４４Ａは、縦フレーム３４２に対して横方向にスライド可能に設けられている。したがって、ガイド部材４Ａは、右側壁部３１の移動に伴って、横方向に移動可能である。また、ガイド部材４Ｂは、下流側壁部３４の縦フレーム３４３の上端に設けられている。縦フレーム３４３は、左側壁部３２に、例えば磁石によって取り付けられている。縦フレーム３４３からは、横フレーム部３４４Ｂが延びており、横フレーム部３４４Ｂは、縦フレーム３４２に対して横方向にスライド可能に設けられている。そして、横フレーム部３４４Ａ及び横フレーム部３４４Ｂは、１本の横フレーム３４４を構成している。したがって、ガイド部材４Ｂは、左側壁部３２の移動に伴って、横方向に移動可能である。なお、ガイド部材４Ａ、４Ｂは、互いに独立して移動可能である。更に、縦フレーム３４２は、基台２上を搬送方向に沿ってスライド可能に設けられている。したがって、ガイド部材４Ａ、４Ｂは、搬送方向に沿っても、移動可能である。一方、ガイド部材４Ｃ、４Ｄは、それぞれ、上流側壁部３３の横レール３３１に沿ってスライド可能に、設けられている。したがって、ガイド部材４Ｃ、４Ｄは、横方向に移動可能である。
【００２６】
図５及び図６は、ガイド部材４Ａを示している。図５は、用紙１００の角部１０１に接触する前のガイド部材４Ａを示している。図において、（Ａ）は上方斜視図、（Ｂ）は平面図、（Ｃ）は側面図である。ガイド部材４は、縦フレーム３４１に支持されている。
【００２７】
ガイド部材４Ａは、用紙１００の角部１０１に下方から面接触するガイド面４１を、有している。ガイド面４１は、矢印Ｂに示されるように、空間１の内部に向けて且つ下方に向けて、傾斜している。また、ガイド面４１は、矢印Ｃに示されるように、空間１の外部に向けて凸状となるように且つ横方向に渡って、湾曲している。
【００２８】
ガイド部材４Ａは、上部ガイド部４２と下部ガイド部４３とに分割されている。ガイド面４１は、両ガイド部４２、４３に渡って、形成されている。上部ガイド部４２は、縦フレーム３４１に固定されている。一方、下部ガイド部４３は、退避機構５を備えている。
【００２９】
退避機構５は、下部ガイド部４３を用紙１００の角部１０１に下方からは接触しない非接触位置へ移動させるための機構であり、所謂「鹿威し」機構からなっている。すなわち、退避機構５は、下部ガイド部４３を、縦フレーム３４１に対して、上下に回動自在に支持する、横軸５１と、横軸５１を支点として、下部ガイド部４３に対するバランスをとるためのバランス体５２と、で構成されている。バランス体５２の重さは、用紙１００の角部１０１が下部ガイド部４３に接触する前においては、図５に示されるように、下部ガイド部４３を上部ガイド部４２と一体化し、また、用紙１００の角部１０１が下部ガイド部４３に接触した後においては、用紙１００の自重を受けて、図６に示されるように、下部ガイド部４３を、上部ガイド部４２から離れるように下方に回動させて、上記非接触位置へ移動させるように、設定されている。図６は、退避機構５が作動した後のガイド部材４Ａを示しており、（Ａ）は上方斜視図、（Ｂ）は平面図、（Ｃ）は側面図である。
【００３０】
なお、ガイド部材４Ｂ、４Ｃ、４Ｄに関しては、基本的な構成はガイド部材４Ａと同じであり、左右形状や縦フレーム３４１のような支持部材の形態がガイド部材４Ａと異なっているだけである。
【００３１】
上記構成の紙受け装置１０においては、用紙１００が、以下に説明するように、基台２上の空間１内に積載されていく。図７〜１０は、用紙１００が、搬送されて来て空間１内を落下していく様子を、順に示している。なお、図７〜１０では、用紙１００の状態を見やすくするために、左側壁部３２が示されていない。
【００３２】
まず、用紙１００は、図７に示されるように、前段の搬送部９によって、矢印Ａ方向に搬送されて来る。ところで、搬送部９の搬送路下流端部には、幅方向両側に、一対のガイド壁部９１が設けられている。ガイド壁部９１は、用紙１００の幅方向両側を、漸次、上向きに且つ内向きに、変位させるよう、機能するように、設けられている。したがって、搬送部９によって搬送されて来た用紙１００は、若干、下向きの凸状にカールするよう、強制される。
【００３３】
しかしながら、ガイド壁部９１による上記強制は、十分ではなく、用紙１００は、図８に示されるように、大部分が空間１上に位置する状態に至った時には、上向きの凸状にカールしている。そして、用紙１００は、空間１上に位置した先端部分１０２（搬送方向下流側部分）から落下を始める。
【００３４】
次に、用紙１００は、図９に示されるように、その全てが空間１上に位置すると、後端部分１０３も落下を始める。しかしながら、用紙１００は、先端部分１０２が後端部分１０３よりも先に落下を始めているため、先端部分１０２の両側の角部１０１Ａ、１０１Ｂが、まず、ガイド部材４Ａ、４Ｂにそれぞれ接触する。このとき、用紙１００は、未だ、上向きの凸状にカールしている。
【００３５】
ガイド部材４Ａ、４Ｂに接触した角部１０１Ａ、１０１Ｂは、ガイド面４１上を滑り落ちていく。それ故、角部１０１Ａ、１０１Ｂの、空間１内における落下が、先端部分１０２の幅方向中央部の落下に比して、遅れる。すなわち、用紙１００の先端部分１０２においては、幅方向中央部が両側の角部１０１Ａ、１０１Ｂよりも速く落下する。このため、用紙１００の先端部分１０２は、確実に、幅方向における下向きの凸状にカールする。すなわち、ガイド部材４Ａ、４Ｂは、用紙１００の先端部分１０２を、強制的に、幅方向における下向きの凸状にカールさせる。したがって、用紙１００が、縦目である場合はもちろん、横目であっても、用紙１００の先端部分１０２は、確実に、幅方向における下向きの凸状にカールする。
【００３６】
一方、角部１０１Ａ、１０１Ｂがガイド部材４Ａ、４Ｂに接触した後に、用紙１００の後端部分１０３の両側の角部１０１Ｃ、１０１Ｄがガイド部材４Ｃ、４Ｄに接触する。ガイド部材４Ｃ、４Ｄに接触した角部１０１Ｃ、１０１Ｄは、ガイド面４１上を滑り落ちていく。それ故、角部１０１Ｃ、１０１Ｄの、空間１内における落下が、後端部分１０３の幅方向中央部の落下に比して、遅れる。すなわち、用紙１００の後端部分１０３においては、幅方向中央部が両側の角部１０１Ｃ、１０１Ｄよりも速く落下する。このため、用紙１００の後端部分１０３も、確実に、幅方向における下向きの凸状にカールする。すなわち、ガイド部材４Ｃ、４Ｄは、用紙１００の後端部分１０３を、強制的に、幅方向における下向きの凸状にカールさせる。したがって、用紙１００が、縦目である場合はもちろん、横目であっても、用紙１００の後端部分１０３は、確実に、幅方向における下向きの凸状にカールする。
【００３７】
更に、用紙１００の角部１０１Ａ、１０１Ｃがガイド部材４Ａ、４Ｃに接触するとともに、用紙１００の角部１０１Ｂ、１０１Ｄがガイド部材４Ｂ、４Ｄに接触するので、４つの角部４Ａ、４Ｂ、４Ｃ、４Ｄの落下が、用紙１００の搬送方向中央部分１０４（図１０）の落下に比して、遅れる。それ故、用紙１００は、搬送方向においても、下向きの凸状にカールする。したがって、用紙１００が、横目である場合はもちろん、縦目であっても、用紙１００は、確実に、搬送方向における下向きの凸状にカールする。
【００３８】
したがって、角部１０１Ａ、１０１Ｂ、１０１Ｃ、１０１Ｄがガイド部材４Ａ、４Ｂ、４Ｃ、４Ｄを通過した直後においては、図１０に示されるように、用紙１００全体は、縦目である場合はもちろん、横目であっても、確実に、下向きの凸状にカールする。
【００３９】
そして、用紙１００は、下向きの凸状にカールした状態で、空間１内を落下していく。下向きの凸状にカールした用紙１００は、落下時の姿勢が安定しているので、幅方向（矢印Ｘ方向）や前後方向（矢印Ｙ方向）に揺れ動くことなく、落下していく。したがって、上記構成の紙受け装置１０によれば、用紙１００が、縦目である場合はもちろん、横目であっても、確実に、用紙１００を揃えて積載することができる。
【００４０】
しかも、ガイド部材４は、退避機構５を備えていることにより、次のように作動する。すなわち、角部１０１がガイド部材４に接触すると、角部１０１は、まず、上部ガイド部４２のガイド面４１に接触し、ガイド面４１上を滑り落ちていき、下部ガイド部４３のガイド面４１に接触する。角部１０１が下部ガイド部４３のガイド面４１に接触すると、下部ガイド部４３に、用紙１００の自重が加わっていく。これにより、退避機構５が作動して、下部ガイド部４３は、図６の（Ａ）、（Ｃ）に示されるように、上記非接触位置に移動する。したがって、角部１０１は、下部ガイド部４３の位置まで滑り落ちて来ると、速やかに落下する。よって、退避機構５を備えたガイド部材４は、用紙１００を下向きの凸状にカールするという、ガイド部材４としての上述した機能を、発揮しながらも、用紙１００の落下速度を増大できる。
【００４１】
なお、下部ガイド部４３は、角部１０１が通り過ぎた後は、図５に示される元の状態に戻る。
【００４２】
また、図４に示されるように、上壁部分３１１と上壁部分３２１との間の距離Ｌ１が用紙１００の幅寸法Ｗより少し小さく設定されているので、用紙１００は、上壁部分３１１及び上壁部分３２１の高さ位置にあるガイド部材４によって、下向きの凸状に、よりカールしやすくなる。そして、本体壁部分３１２と本体壁部分３２２との間の距離Ｌ２が用紙１００の幅Ｗと略同じに設定されているので、下向きの凸状にカールした用紙１００が落下しながら平たくなっても、用紙１００は安定した姿勢で落下する。したがって、より確実に、用紙１００を揃えて積載することができる。しかも、用紙１００を平らに積載できるので、用紙１００に湾曲癖等が付くのを防止でき、したがって、積載された用紙１００の束を空間１から取り出す際に、束が崩れるのを防止できる。
【００４３】
［第１実施形態］
図１１は、本実施形態のガイド部材４Ａを示しており、（Ａ）は左上方斜視図、（Ｂ）は右上方斜視図、（Ｃ）は平面図、（Ｄ）は側面図である。このガイド部材４Ａは、ガイド面４１の代わりにガイド線部４５１を有しており、また、退避機構５を備えてはいない。なお、ガイド部材４Ａを挙げて説明するが、他のガイド部材４Ｂ、４Ｃ、４Ｄについても、同様である。
【００４４】
本実施形態においては、ガイド部材４Ａは、棒体４５からなっている。棒体４５は、ガイド面４１と同様に、矢印Ｂに示されるように、空間１の内部に向けて且つ下方に向けて、傾斜している。したがって、棒体４５は、用紙１００の角部１０１に下方から線接触するガイド線部４５１を、有している。
【００４５】
本実施形態のガイド部材４Ａによっても、角部１０１がガイド線部４５１上を滑り落ちていくので、参考形態のガイド部材４Ａと同様に、用紙１００を下向きの凸状にカールさせることができる。
【００４６】
［第２実施形態］
図１２は、本実施形態のガイド部材４Ａを示しており、（Ａ）は左上方斜視図、（Ｂ）は右上方斜視図、（Ｃ）は平面図、（Ｄ）は側面図である。このガイド部材４Ａは、ガイド面４１の代わりにガイド端部４６１を有しており、また、退避機構５を備えてはいない。なお、ガイド部材４Ａを挙げて説明するが、他のガイド部材４Ｂ、４Ｃ、４Ｄについても、同様である。
【００４７】
本実施形態においては、ガイド部材４Ａは、ピン体４６からなっている。ピン体４６は、垂直に設けられている。したがって、ピン体４６は、その上端が、用紙１００の角部１０１に下方から点接触するガイド端部４６１となっている。
【００４８】
本実施形態のガイド部材４Ａによっても、角部１０１がガイド端部４６１上を滑り抜けていくので、参考形態のガイド部材４Ａと同様に、用紙１００を下向きの凸状にカールさせることができる。
【００４９】
［第３実施形態］
図１３は、本実施形態のガイド部材４Ａを示しており、（Ａ）は左上方斜視図、（Ｂ）は右上方斜視図、（Ｃ）は平面図、（Ｄ）は側面図である。このガイド部材４Ａは、ガイド面４１の代わりにローラ円周部４７１を有しており、また、退避機構５を備えてはいない。なお、ガイド部材４Ａを挙げて説明するが、他のガイド部材４Ｂ、４Ｃ、４Ｄについても、同様である。
【００５０】
本実施形態においては、ガイド部材４Ａは、ローラ４７からなっている。ローラ４７は、水平軸回りに回転可能に設けられており、したがって、ローラ円周部４７１は、垂直面内を円周方向に移動可能である。
【００５１】
本実施形態のガイド部材４Ａによっても、角部１０１がローラ円周部４７１上を滑り落ちていくので、参考形態のガイド部材４Ａと同様に、用紙１００を下向きの凸状にカールさせることができる。しかも、ローラ４７が回転するので、用紙１００の落下速度を増大できる。
【００５２】
なお、ローラ４７は、回転不能であってもよく、この場合でも、用紙１００を下向きの凸状にカールさせることができる。
【００５３】
［変形構造］
（１）縦フレーム３４１は、ねじ止めによって、右側壁部３１に取り付けられてもよい。縦フレーム３４３も同様である。また、縦フレーム３４１は、右側壁部３１に掛け止めしてもよい。縦フレーム３４３も同様である。
【００５４】
（２）ガイド部材４自体を、直接、壁部３１等に取り付けてもよい。
【００５５】
（３）図４における距離Ｌ１を距離Ｌ２と同じに設定するとともに、距離Ｌ１、Ｌ２を用紙１００の幅Ｗと同じ又は少し小さく設定してもよい。この場合でも、用紙１００全体を下向きの凸状にカールさせることができる。
【産業上の利用可能性】
【００５６】
本発明の紙受け装置は、用紙が縦目である場合はもちろん横目であっても、用紙を下向きの凸状にカールさせることができるので、確実に、用紙を揃えて積載することができる。したがって、本発明の紙受け装置は、産業上の利用価値が大である。
【図面の簡単な説明】
【００５７】
【図１】本発明の一参考形態の紙受け装置の上方斜視図である。
【図２】図１のII矢視図である。
【図３】図１のIII矢視図である。
【図４】図１のIV矢視図である。
【図５】用紙の角部に接触する前のガイド部材を示しており、（Ａ）は上方斜視図、（Ｂ）は平面図、（Ｃ）は側面図である。
【図６】退避機構が作動した後のガイド部材を示しており、（Ａ）は上方斜視図、（Ｂ）は平面図、（Ｃ）は側面図である。
【図７】用紙が、搬送されて来て空間内を落下していく様子を、示す、上方斜視図である。
【図８】図７に続く様子を示す上方斜視図である。
【図９】図８に続く様子を示す上方斜視図である。
【図１０】図９に続く様子を示す上方斜視図である。
【図１１】本発明の第１実施形態のガイド部材を示しており、（Ａ）は左上方斜視図、（Ｂ）は右上方斜視図、（Ｃ）は平面図、（Ｄ）は側面図である。
【図１２】本発明の第２実施形態のガイド部材を示しており、（Ａ）は左上方斜視図、（Ｂ）は右上方斜視図、（Ｃ）は平面図、（Ｄ）は側面図である。
【図１３】本発明の第３実施形態のガイド部材を示しており、（Ａ）は左上方斜視図、（Ｂ）は右上方斜視図、（Ｃ）は平面図、（Ｄ）は側面図である。
【符号の説明】
【００５８】
１  空間  １０  紙受け装置  １００  用紙  １０１、１０１Ａ、１０１Ｂ、１０１Ｃ、１０１Ｄ  角部  ２  基台  ３１  右側壁部  ３２  左側壁部  ３３  上流側壁部  ３４  下流側壁部  ４、４Ａ、４Ｂ、４Ｃ、４Ｄ  ガイド部材  ４１  ガイド面  ４２  上部ガイド部  ４３  下部ガイド部  ４５  棒体  ４５１  ガイド線部  ４６  ピン体  ４６１  ガイド端部  ４７  ローラ  ４７１  ローラ円周部  ５  退避機構
【図１】
0005476496.tif 000002
【図２】
0005476496.tif 000003
【図３】
0005476496.tif 000004
【図４】
0005476496.tif 000005
【図５】
0005476496.tif 000006
【図６】
0005476496.tif 000007
【図７】
0005476496.tif 000008
【図８】
0005476496.tif 000009
【図９】
0005476496.tif 000010
【図１０】
0005476496.tif 000011
【図１１】
0005476496.tif 000012
【図１２】
0005476496.tif 000013
【図１３】
0005476496.tif 000014